(57)【要約】【課題】揺動床接触材の取付け方法において、簡便でコストが割高にならない取付け方法を提供する。【解決手段】処理槽への揺動床の取付け具が、距離をおいて上下一対をなしており、この取付け具が複数対配置され、取付け具複数対に対して、前記揺動床を構成する接触材をひと組配置する。【選択図】  図１
2004167361.tif 000002
【特許請求の範囲】
【請求項１】
処理槽への揺動床接触材の取付け具が、距離をおいて上下一対をなしており、この取付け具が複数対配置され、取付け具複数対に対して、前記揺動床を構成する接触材をひと組配置することを特徴とする揺動床接触材の取付け方法。
【請求項２】
接触材は、その両端部のみが上下いずれかの取付け具に固定され、そのほかの取付け具においては固定せず、当該接触材が取付け具を跨ぐ状態で繰り返し上下に折り返されることを特徴とする請求項１記載の揺動床接触材の取付け方法。
【請求項３】
接触材は、両端部が取付け部とされ、その取付け部同士の間に経糸が配置され、この経糸に所定長さの多数の緯糸が織り込まれ、経糸に加えられた捩りによりこの経糸に撚りが与えられることで、前記多数の緯糸が経糸の周りに螺旋状に配列されるとともに経糸から放射状に突出されていることを特徴とする請求項１又は２記載の揺動床接触材の取付け方法。
【発明の詳細な説明】
【０００１】
【発明の属する技術分野】
本発明は、水処理装置の揺動床接触材の取付け方法に関する。
【０００２】
【従来の技術】
図４（ａ）は公知の揺動床接触材を用いた処理槽の一例の正面図、図４（ｂ）はその平面図である。処理槽１の上部には、被処理排水供給路１０と、処理水排出路１１とが設けられている。処理槽１内には、被処理水１２に水没した状態で、揺動床が設けられている。この揺動床は、処理槽１の枠体への取付け具３Ｕ、３Ｌが上下に設けられ、これらの取付け具３Ｕ、３Ｌどうしの間に、多数の接触材２が配置された構成とされている。揺動床の取付け具３Ｕ、３Ｌは棒状体とされている。処理槽１の内部における揺動床よりも下側の位置には、複数の空気噴出口９が設けられており、これら空気噴出口９は、槽外のブロワ１３に連通されている。
【０００３】
図２（ａ）は接触材２の一例の概略構造を示す斜視図、図２（ｂ）は簾状の接触材の一例の概略構造を示す斜視図である。但し、緯糸（後述）は、経糸（後述）の一方の側に突設している緯糸のみを描き、他方側に突出している緯糸は、図が煩雑になるので省略してある。接触材２は芯材となる経糸１４とこの経糸１４から螺旋放射状にかつ揺動可能に突出された多数の緯糸１５とによって構成されている。なお、図２（ａ）及び図２（ｂ）では緯糸１５の突出状態は簡略化されて図示されている。緯糸１５は、経糸１４に撚りが与えられることで、螺旋放射状に形成されている。
【０００４】
接触材２の両端部に設けられる取付け部６、７は、１本（図２（ａ）の場合）又は複数本（図２（ｂ）の場合）の経糸１４の垂直方向の両端部に、不織布などからなる、両端部が開口された袋状部が縫製されたものであり、この袋状部に上記棒状体とされた取付け部３Ｕ、３Ｌが挿通される構造となっている。即ち、ひと組接触材の両端部に設けられた袋状体を、上下ひと組である取付け具３Ｕ、３Ｌにそれぞれ挿通して接触材が配置されることになる。
【０００５】
【発明が解決しようとする課題】
このような構成の揺動床接触材取付け方法においては、上記の通り、接触材ひと組に対し上下１対の固定箇所が必要なため、例えば接触材を１０組取り付けるには、１０対即ち上下合計２０箇所の固定箇所が必要であり、作業が複雑となりコストが割高となる。又揺動床接触材そのものも、袋状部の縫製箇所が増加し割高となる。
【０００６】
そこで本発明は、揺動床接触材の取付け方法において、簡便でコストが割高にならない取付け方法を提供することを目的とする。
【０００７】
【課題を解決するための手段】
上記課題を解決するための本発明の請求項１記載の揺動床接触材の取付け方法（発明１）は、処理槽への揺動床の取付け具が、距離をおいて上下一対をなしており、この取付け具が複数対配置され、取付け具複数対に対して、前記揺動床を構成する接触材をひと組配置することを特徴とする揺動床接触材の取付け方法である。
【０００８】
揺動床取付け具は、処理槽に直接設けられても良く、別に準備した枠体取付け具を設け、これに接触材を配置して揺動床とし、これを処理槽内に沈めるようにされても良い。いずれの形態であっても、取付け具に配置される揺動床接触材の取付け方法は同じである。
【０００９】
請求項２（発明２）では、接触材は、その両端部のみが上下いずれかの取付け具に固定され、そのほかの取付け具の箇所においては固定せず、当該接触材がその取付け具を跨ぐ状態で繰り返し上下に折り返される。
【００１０】
この場合、例えば、上方の取付け具にその一端部を固定された接触材が、対となる下方の取付け具を跨ぎ越し、上方に折り返されて、その横に配置されている隣の一対の上方にある取付け具に向かい、その取付け具で下方に向かって折り返されてから、その取付け具の対となる下方の取付け具に向かって折り返されると、接触材の折り返し形状は、山形又は鋸型となる。
【００１１】
また、上方の取付け具にその一端部を固定された接触材が、対となる下方の取付け具を跨ぎ越し、跨ぎ越した接触材が、一旦その横に配置されている隣の一対の下方にある取付け具に向かって折り返されてから、その取付け具の対となる上方の取付け具に向かって折り返されると、接触材の折り返し形状は、矩形波形状となる。いずれの折り返し方にするかは、状況に応じて決められれば良い。
【００１２】
請求項３（発明３）では、接触材は、両端部が取付け部とされ、その取付け部同士の間に経糸が配置され、この経糸に所定長さの多数の緯糸が織り込まれ、経糸に加えられた捩りによりこの経糸に撚りが与えられることで、前記多数の緯糸が経糸のまわりに螺旋状に配列されるとともに経糸から放射状に突出されている。
【００１３】
本発明においては、接触材ひと組とは、微生物が付着する排水中で揺動可能な揺動材と、この揺動材が取り付けられてこれを支持する芯材とをひと組として構成する接触材をいい、芯材が１本の糸状のもの又は複数本の糸状芯材が並列されて簾状に構成されているものも含む。なお、芯材の両端部は、接触材を取付け具に固定するための取付け部とされるが、その取付け部としては、芯材の端部に両端が開口された袋状部が設けられたものとされていても良い。又、簾状の接触材では複数の芯材が固定された細長い袋状部とされていてもよい。
【００１４】
【発明の実施の形態】
本発明による揺動床接触材の取付け方法を、図１から図３に基づき詳細に説明する。図１（ａ）は本発明による揺動床接触材の取付け方法を用いた揺動床の一例の正面図、図１（ｂ）はその側面図、図１（ｃ）はその平面図である。
【００１５】
処理槽１への揺動床の取付け具３Ｕ、３Ｌが、上下方向に距離をおいて複数対配置される。これら上方取付け具３Ｕから下方取付け部３Ｌの間に、揺動床を構成するための接触材２が配置される。この時、ひと組の接触材２の長さは、対をなす上下取付け具３Ｕ、３Ｌ間の距離よりも長く用意する。
【００１６】
図１においては、接触材の折り返し形状が矩形波形状とされた場合の一例である。この場合の具体的な取付け方法は、まず、接触材２の一端の取付け部６を最初の取付け具３Ｕに挿通して固定し、ここを起点４として接触材２を展開する。展開された接触具２を、対となる下方取付け部３Ｌで、隣接する他の一対の取付け具の下方取付け具３Ｌ’側に折り返し、その取付け具３Ｌ’を巻き回してその対となる上方の取付け具３Ｕ’側に更に折り返す。このようにして、順次隣り合う対となる取付け具３Ｕ”、３Ｌ”に接触材を巻き回して折り返し、これを繰り返す。全ての取付け具３を巻き回された接触材２は、もう一方の端部の取付け部７を最後の取付け具３Ｅに挿通して２度目の固定を行い、ここを終点５とする。
【００１７】
折り返し形状が山形ないし鋸型形状となる場合は、折り返し先の固定具の位置が異なるだけで、他は矩形波形状の場合と同様であるから、再述しない。
【００１８】
図１に示す揺動床において、取付け具３Ｕ、３Ｌ、３Ｕ’、３Ｌ’、・・・３Ｅは棒状体にて構成され、起点４となる第１の固定箇所に対応した接触材２の部分は、不織布などによる袋状部６として形成され、この袋状部６に取付け具３Ｕが通された構成となっている。これは従来の取付け方法と同じであり、図２において取付け具３Ｕの箇所を起点４と読み替えればよい。
【００１９】
終点５となる第２の固定箇所においても、同様に袋状部７に取付け具３Ｅが通された構成となっている。これも従来の取付け方法と同じであり、図２において取付け具３Ｌの箇所を終点５と読み替えればよい。
【００２０】
こうして、接触材２の固定箇所は、最初の固定箇所４と最後の固定箇所５との２カ所のみとし、そのほかの取付け具３Ｕ、３Ｌ、３Ｕ’、３Ｌ’、３Ｕ”・・・は、やはり従来の取付け具３と同じ取付け具をそのまま使用する。図１に示すように接触材２が取付け具３Ｌ、３Ｕ’、３Ｌ’、３Ｕ”、３Ｌ”・・・を跨ぐ状態で取り回し、これら途中の取付け具では、接触材２を固定することなく単に折り返し点としてのみ利用する。
【００２１】
接触材２が取り付けられたら、それの隣り合う次の接触材２’を、上記と同様にして揺動床に取り付ける。その作業は上述と同じであるから再述しない。このようにして、固定箇所数が減ったため、揺動床接触材の取付時間は、従来の三分の一となった。
【００２２】
また、接触材２が簾状である場合は、この取付け作業は接触材２の幅が広くなる分だけ手間が掛かるが、全体としては一度の取付け作業で揺動床が完成するので、積算取付け作業時間がより少なくなる。
【００２３】
図３は、隣り合うひと組の折り返し具同士の間のみ接触材の緯糸をカットした揺動床の一例の正面図である。この場合も、上記と同様に、揺動床接触材の取付け時間波、従来の三分の一となった。
【００２４】
【発明の効果】
以上のように、本発明によると、揺動床接触材の取付け具複数対に対して前記揺動床を構成する接触材をひと組配置し、また、揺動床接触材は、その両端のみを上下いずれかの取付け具に固定し、そのほかの取付け具においては固定せず、当該接触材が取付け具を跨ぐ状態で繰り返し上下に折り返すだけにとどめることで、水処理装置製造者においては、従来の方法ようなひと組の接触材の取付け毎に、上下２カ所ずつ固定するという極めて煩雑な作業から解放されて簡便となり、この作業に由来するコストの削減が出来る。また、揺動床接触材製造者においては、袋状部の縫製カ所が減るのでコストも割高にならず、取り付ける事ができる。
【００２５】
また、本発明の揺動床接触材の取付け方法は、取付け部どうしの間に経糸が配置され、この経糸に所定長さの多数の緯糸が織り込まれ、経糸に加えられた捩りによりこの経糸に撚りが与えられることで、前記多数の緯糸が経糸のまわりに螺旋状に配列されるとともに、経糸から放射状に突出されているような形状の接触材に対し、特に有効かつ好適である。
【図面の簡単な説明】
【図１】（ａ）本発明による揺動床接触材の取付け方法を用いた揺動床処理槽の一例の正面図である。
（ｂ）その側面図である。
（ｃ）その平面図である。
【図２】（ａ）接触材の一例の概略構造を、その一部を省略して示す斜視図である。
（ｂ）簾状の接触材の一例の概略構造を、その一部を省略して示す斜視図である。
【図３】隣り合うひと組の折り返し具同士の間のみ接触材の緯糸をカットした揺動床の一例の正面図である。
【図４】（ａ）公知の揺動床接触材を用いた揺動床処理槽の一例の正面図である。
（ｂ）その平面図である。
【符号の説明】
１  処理槽
２  接触材
３Ｕ、３Ｌ、・・・３Ｅ  取付け具
４  最初の固定箇所（起点）
５  最後の固定箇所（終点）
６、７  袋状取付け部
１０  被処理排水供給路
１１  処理水排出路
１２  非処理水
１３  ブロア
１４  経糸
１５  緯糸
【図１】
2004167361.tif 000003
【図２】
2004167361.tif 000004
【図３】
2004167361.tif 000005
【図４】
2004167361.tif 000006